(57)【要約】【課題】コンパクトにすることができる、多機能な竿用洗濯バサミ。【解決手段】一対の挟持片のそれぞれの両側面と外側面を覆うように、ハンガー掛け部とピンチ係止部を備える断面形状が略コ字型のアームを挟持片に対して連結枢軸を中心に回動して折り畳み自在に嵌装し、ハンガーを掛止する時やピンチを使用する時はアームを展開して平らな状態にし、不使用時にはアームを折り畳みコンパクトにすることが出来る竿用洗濯バサミ。【選択図】図7
2014012064.tif 000002
【特許請求の範囲】
【請求項１】
対向して設けた左右一対の挟持片をその略中間部分を回動可能に重合枢着するとともに、該挟持片の基端部を開閉操作部となし、他端である先端部より回動支点に向かって外方に湾曲部を形成し、該湾曲部が近接する方向に付勢された竿用洗濯バサミにおいて、前記先端部近傍より前記基端部に向かって前記挟持片の両側面と外側面を挟んで覆うように、ハンガー掛け部とピンチ係止部を備える断面形状が略コ字型のアームが嵌装されると共に、該アームのいずれか一方の端部を前記挟持片に対して連結枢軸を中心として回動自在に設け、前記アームが嵌合して折り畳まれた状態と、展開して平らな状態に切り換えられることを特徴とした竿用洗濯バサミ。
【請求項２】
前記アームは、複数の前記ハンガー掛け部と複数の前記ピンチ係止部の一方のみ、または両方が長手方向に沿って適宜に離間して形成されていることを特徴とする請求項１の竿用洗濯バサミ。
【請求項３】
少なくとも一方の前記先端部に洗濯物干し具のフックを挿通して吊り下げるための掛止孔を形成した掛止片が垂設されていることを特徴とする請求項１または２に記載の竿用洗濯バサミ。
【発明の詳細な説明】
【技術分野】
【０００１】
本発明は、主に物干竿に被せられたバスタオルやシーツなどの長尺洗濯物をその上方から挟持して物干竿に固定する竿用洗濯バサミの改良に関する。
【背景技術】
【０００２】
近年の住宅事情により、ベランダやバルコニー等の限られたスペースのなかで、効率的で、通気性が良く、風の吹きつけに洗濯物がずれない洗濯物干し具が求められている。特に、マンションなどの高層建築においては、美感上または強風対策の理由で、洗濯物をパルコーの外壁などより低い位置に干すことが多い。このために物干竿を低く配置すると、バスタオルやシーツなど丈の長い洗濯物は、物干竿に被せられたときに垂れ下がった裾がバルコニーの床などに触れて汚れるという問題があった。そこで、特許文献１〜特許文献３で提案されている洗濯物干し具は、洗濯物を狭持する一対の挟持片の外側面に外方に伸びるアームが設けられ、このアームにピンチが設けられ、長尺洗濯物を物干竿に被せた部分に上方から洗濯物干し具を装着して挟み付け、四つ折りにされた洗濯物の両方の裾を持ち上げてピンチで挟持する洗濯物干し具が提案されている。
【先行技術文献】
【特許文献】
【０００３】
【特許文献１】特開２００３−９９９号公報
【特許文献２】特開２００４−２６７６５８号公報
【特許文献３】実開Ｈ２−３２７９３号公報
【発明の概要】
【発明が解決しようとする課題】
【０００４】
特許文献１の洗濯物干し具は、物干竿に装着する時にバネ圧により閉じ方向に付勢されている挟持片を両手で開きながら物干竿に装着するので作業性が悪く、使用目的が限定されている。
【０００５】
特許文献２や特許文献３の洗濯物干し具は、大型の竿用洗濯バサミの挟持片の弯部より竿の交差方向に突設されたアームに複数のピンチを吊下したものであるが、折り畳むことが出来ないため不使用時においては干場の空間を占拠して邪魔であり、持ち運びや収納時の取り扱いが不便であり、使用目的が限定されている。
【０００６】
本発明は、その主たる課題は、長尺洗濯物を物干竿に固定するだけではなく、小さな洗濯物を挟持するピンチやハンガーのフック部を物干竿に対して固定した状態で使用する事ができるとともに、限られた干場空間を立体的に利用でき、多くの洗濯物を干せるコンパクトで使用目的が限定されず多機能な竿用洗濯バサミを提供する。
【課題を解決するための手段】
【０００７】
上記目的を達成するために、請求項１の竿用洗濯バサミは、対向して設けた左右一対の挟持片をその略中間部分を回動可能に重合枢着するとともに、該挟持片の基端部を開閉操作部となし、他端である先端部より回動支点に向かって外方に湾曲部を形成し、該湾曲部が近接する方向に付勢された竿用洗濯バサミにおいて、前記先端部近傍より前記基端部に向かって前記挟持片の両側面と外側面を挟んで覆うように、ハンガー掛け部とピンチ係止部を備える断面形状が略コ字型のアームが嵌装されると共に、該アームのいずれか一方の端部を前記挟持片に対して連結枢軸を中心として回動自在に設け、前記アームが嵌合して折り畳まれた状態と、展開して平らな状態に切り換えられることを特徴とする。
【０００８】
請求項２の竿用洗濯バサミは、請求項１の発明において、前記アームは、複数の前記ハンガー掛け部と複数の前記ピンチ係止部の一方のみ、または両方が長手方向に沿って適宜に離間して形成されていることを特徴とする。
【０００９】
請求項３の竿用洗濯バサミは、請求項１から２のいずれか一つの発明において、少なくとも一方の前記先端部に洗濯物干し具のフックを挿通して吊り下げるための掛止孔を形成した掛止片が垂設されていることを特徴とする。
【発明の効果】
【００１０】
本発明の竿用洗濯バサミは、ハンガー掛け部とピンチ係止部を備えるアームを挟持片に対して連結枢軸を中心にして折り畳み可能に形成することで、長尺洗濯物に使用するだけではなく、従来の竿用洗濯バサミに比べて略同様なサイズでありながら、折り畳まれたアームを展開して平らな状態にすることで多くの洗濯物を干すことが可能となると共に、複数の竿用洗濯バサミを使用する事で、使用中の竿に対して並列した位置に新たに竿を追加した効果が生まれ、より多くの洗濯物を干すことができる。さらに、竿の長手方向の寸法が長尺洗濯物の縦方向を平行にして二つ折りにして干すことが可能であれば、長尺洗濯物を四つ折りにする煩雑さが解消される。また、不使用時にアームを折り畳むことにより、竿に狭着した状態で放置した状態あっても邪魔にならず、収納する時もコンパクトになっており使い勝手が良いという利点がある。
【図面の簡単な説明】
【００１１】
【図１】図１は第一実施例の折り畳み状態の正面図である。
【図２】図２は第一実施例の折り畳み状態の右側面図である。
【図３】図３は第一実施例の開いた状態の斜視図である。
【図４】図４は第二実施例の折り畳み状態の正面図である。
【図５】図５は第二実施例の折り畳み状態の右側面図である。
【図６】図６は第二実施例の開いた状態の斜視図である。
【図７】図７は第一実施例と第二実施例を併用した使用状態の斜視図である。
【発明を実施するための形態】
【００１２】
以下、本発明の実施の形態を図面に基づいて説明する。
【００１３】
図１〜図３は本発明の竿用洗濯バサミ１の実施の形態の第一例を示すものである。本体２は一対の挟持片３ａ、３ｂとバネ２１で公知の技術により形成されており、その先端部６ａ、６ｂの近傍にハンガー掛け部９ａ、９ｂとピンチ係止部１１ａ、１１ｂを備えるアーム８ａ、８ｂが回動可能に軸支され折り畳み可能に構成された竿用洗濯バサミ１である。なお、説明の便宜上、ピンチPをピンチ係止部１１ａ、１１ｂに、吊り下げ片Ｔ1で掛止した状態で図示している。
【００１４】
挟持片３ａ、３ｂの両横側面と外側面には段差部７ａ、７ｂが設けられており、この段差部７ａ、７ｂを覆うように断面形状が略コ字型のアーム８ａ、８ｂが折り畳まれて段差部７ａ、７ｂと嵌合した時に、本体２の表面とアーム８ａ、８ｂの表面が面一になるように形成されている。また、アーム８ａ、８ｂが折り畳まれて閉じた状態を保つために段差部７ａ、７ｂの表面とアーム８ａ、８ｂの内面に凹凸係止部１８ａ、１８ｂが設けられている。
【００１５】
さらには、一対の挟持片３ａ、３ｂのいずれか一方の先端部６ａまたは６ｂより下方に突出して掛止片１９が形成されており、その先端部６ａ、６ｂ近傍には図７で示して使用しているように、外周形状が枠状またはサークル状の枠体に多数のピンチを吊下した物干し具や、複数のハンガーを列設した物干し具等のフックＦを掛止するための掛止孔２０が穿設されている。
【００１６】
断面形状が略コ字型のアーム８ａ、８ｂの両側片には、長手方向に沿って適宜な間隔で逆L字型の切り込み溝１０ａ、１０ｂが形成されたハンガー掛け部９ａ、９ｂと、アーム８ａ、８ｂの底片１５ａ、１５ｂの外側にはピンチ係止用の係止孔を備える支柱１２ａ、１２ｂが突設されてピンチ係止部１１ａ、１１ｂが形成されている。また、アーム８ａ、８ｂを倒して平らな状態を保つためのストッパーとして、軸支側のアーム８ａ、８ｂ端部の底片１５ａ、１５ｂを切り欠きして、その切り欠き部１６ａ、１６ｂの断面部分と先端部６ａ、６ｂ近傍の段差部７ａ、７ｂの外面とが当接するストッパー部１７ａ、１７ｂが形成されている。さらには、展開されて平らな状態であるそれぞれのアーム８ａ、８ｂは軸支された方向に向かって低くなるように設定されており、吹き付ける風により掛止されハンガーのフックが傾斜した切り込み溝１０ａ、１０ｂからの脱落を防止している。
【００１７】
次に、図４〜図６は第二実施例を示したものであり前述の第一実施例にあるピンチ係止部１１ａ、１１ｂの配設位置と形状を変更し、ハンガー掛け部９ａ、９ｂの配設位置を変更したものであり、変更部分についてのみ符号を変更して表示する。
【００１８】
本実施例の竿用洗濯バサミ３０は、アーム８ａ、８ｂの両側片１４ａ、１４ｂの外側にリング溝を備えた支柱３２ａ、３２ｂが突設されてピンチ係止部３１ａ、３１ｂが形成されており、ピンチPが吊り下げ片Ｔ2により掛止されている。なお、このピンチ係止部３１ａ、３１ｂは同じ両側片１４ａ、１４ｂに設けられている切り込み溝１０ａ、１０ｂに重ならない位置に適宜な間隔に設定して突設されおり、第一実施例と比べてピンチPを吊下することができる数が倍増される。
【００１９】
図７は、第一実施例と第二実施例の竿用洗濯バサミ１，３０を併用した使用状態の一例を表示しており、長尺洗濯物Ｃを干さない場合でも同様に使用可能であり、これらの配置間隔を狭めて使用する数を増やすことで、より多くの洗濯物を干すことができる。
【００２０】
本発明は以上に述べた実施形態に限定されるものではなく、例えば以下のように、発明の趣旨から逸脱しない範囲で適宜変更して具体化することもできる。
（１）本実施例では、アーム８ａ、８ｂを挟持片３ａ、３ｂの先端部６ａ、６ｂの近傍に軸支した構成で図示しているが、他端である基端部４ａ、４ｂ近傍に回動可能に軸支することもできる。
（２）本実施例では、ピンチ係止部１１ａ、１１ｂ、３１ａ、３１ｂにピンチPを係止した状態で図示しているが、ピンチPを掛脱可能に吊持ちしてもよい。
（３）本実施例では、竿用洗濯バサミ１，３０は竿に狭着して使用する構成としたが、竿用洗濯バサミ１，３０を全体的に大きくしてベランダ等の手すりに狭着可能にした構成することもできる。
【符号の説明】
【００２１】
１  竿用洗濯バサミ
２  本体
３ａ、３ｂ  挟持片
４ａ、４ｂ  基端部
５ａ、５ｂ  湾曲部
６ａ、６ｂ  先端部
７ａ、７ｂ  段差部
８ａ、８ｂ  アーム
９ａ、９ｂ  ハンガー掛け部
１０ａ、１０ｂ  切り込み溝
１１ａ、１１ｂ  ピンチ係止部
１２ａ、１２ｂ  支柱
１３ａ、１３ｂ  連結枢軸
１４ａ、１４ｂ  両側片
１５ａ、１５ｂ    底片
１６ａ、１６ｂ    切り欠き部
１７ａ、１７ｂ  ストッパー部
１８ａ、１８ｂ    凹凸係止部  
１９  掛止片
２０  掛止孔
２１  バネ
３０  竿用洗濯バサミ
３１ａ、３１ｂ  ピンチ係止部
３２ａ、３２ｂ  支柱    
Ｃ  長尺洗濯物
P  ピンチ
F  フック
Ｈ  ハンガー
Ｔ1、Ｔ2  吊り下げ片
【図１】
2014012064.tif 000003
【図２】
2014012064.tif 000004
【図３】
2014012064.tif 000005
【図４】
2014012064.tif 000006
【図５】
2014012064.tif 000007
【図６】
2014012064.tif 000008
【図７】
2014012064.tif 000009